(57)【要約】      （修正有）【課題】複数のファイルボックスにより全体として統一性のある高いデザイン性を備え、高い収納力を有するファイルボックスユニットを提供する。【解決手段】ファイルボックスユニット１は、中央ボックス２Ａと左側ボックス２Ｂ及び右側ボックス２Ｃとを備え、中央ボックスと左側ボックスと右側ボックスとが、底面部と、前面部３ｂと、背面部３ｃと、扇状の一対の側面部３ｄとを備えた同一形状とされ、左側ボックスが、中央ボックスの一方の側面部に背面部を接して配されていると共に、右側ボックスが、中央ボックスの他方の側面部に背面部を接して配され、左側ボックスの一方の側面部と、中央ボックスの背面部と、右側ボックスの一方の側面部とが、互いに面一に配されてこれら全体として略半円形状の正面板部４とされ、正面板部の全体に、表示対象物である球体状の自然物又は人工物のうち略半球分の絵柄が表示されている。【選択図】図１
0003228257.tif 000002
【実用新案登録請求の範囲】
【請求項１】
中央ボックスと、
前記中央ボックスの左右に配された左側ボックス及び右側ボックスとを備え、
前記中央ボックスと前記左側ボックスと前記右側ボックスとが、長方形状の底面部と、
前記底面部の一端部から立設した前面部と、
前記底面部の他端部から立設し前記前面部よりも長い略長方形状の背面部と、
前記底面部の両側部から立設し前記前面部から前記背面部にわたって扇状に形成された一対の側面部とを備えた同一形状とされ、
前記左側ボックスが、前記中央ボックスの一方の前記側面部に前記背面部を接して配されていると共に、前記右側ボックスが、前記中央ボックスの他方の前記側面部に前記背面部を接して配され、
前記左側ボックスの一方の前記側面部と、前記中央ボックスの前記背面部と、前記右側ボックスの一方の前記側面部とが、互いに面一に配されてこれら全体として略半円形状の正面板部とされ、
前記正面板部の全体に、表示対象物である球体状の自然物又は人工物のうち略半球分の絵柄が表示されていることを特徴とするファイルボックスユニット。
【請求項２】
請求項１に記載のファイルボックスユニットにおいて、
前記中央ボックスと前記左側ボックスと前記右側ボックスとの内面に、前記球体状の自然物又は人工物の断面の絵柄が表示されていることを特徴とするファイルボックスユニット。
【請求項３】
請求項１又は２に記載のファイルボックスユニットにおいて、
前記球体状の自然物又は人工物が、地球であることを特徴とするファイルボックスユニット。
【請求項４】
請求項１又は２に記載のファイルボックスユニットにおいて、
前記球体状の自然物又は人工物が、月であることを特徴とするファイルボックスユニット。
【請求項５】
請求項１又は２に記載のファイルボックスユニットにおいて、
前記球体状の自然物又は人工物が、果物であることを特徴とするファイルボックスユニット。
【考案の詳細な説明】
【技術分野】
【０００１】
本考案は、デザイン性が高く、収納力に優れたファイルボックスユニットである。
【背景技術】
【０００２】
書類等の収納するファイルボックスは、上部が開口している箱状のものが一般的に用いられている。
例えば特許文献１には、長方形状の底面の外周縁部からそれぞれ四側面が立設されることにより上方が開放された収納空間が形成されたファイルボックスが記載されている。
また、特許文献２には、上面から続く全面をテーパ状に開口したファイルボックスが記載されている。
さらに、特許文献３には、ファイルボックスを複数個連結した組立ユニットが記載されている。
【先行技術文献】
【特許文献】
【０００３】
【特許文献１】実用新案登録第３２０４５６８号公報
【特許文献２】実用新案登録第３１６３２７７号公報
【特許文献３】特開平１１−３０９９７２号公報
【考案の概要】
【考案が解決しようとする課題】
【０００４】
上記従来の技術には、以下の課題が残されている。
上記従来の技術では、ファイルボックスを複数並べて使用する場合があるが、通常、同じ向きに揃えて並べている（例えば、特許文献３参照）。このため、複数の箱が単に同じ向きで並んでいるだけであり、全体としてデザイン性が悪いという問題があった。また、変則的に複数のファイルボックスを並べたとしても、全体としてデザインの統一性が無く、インテリアとして機能しないという不都合があった。さらに、ファイルボックスの表面は、無地や単純な模様が表示されている場合が多く、やはりデザイン性が良くない。
【０００５】
本考案は、前述の課題に鑑みてなされたもので、複数のファイルボックスにより全体として統一性のある高いデザイン性を備え、高い収納力を有するファイルボックスユニットを提供することを目的とする。
【課題を解決するための手段】
【０００６】
本考案は、前記課題を解決するために以下の構成を採用した。すなわち、第１の考案に係るファイルボックスユニットは、中央ボックスと、前記中央ボックスの左右に配された左側ボックス及び右側ボックスとを備え、前記中央ボックスと前記左側ボックスと前記右側ボックスとが、長方形状の底面部と、前記底面部の一端部から立設した前面部と、前記底面部の他端部から立設し前記前面部よりも長い略長方形状の背面部と、前記底面部の両側部から立設し前記前面部から前記背面部にわたって扇状に形成された一対の側面部とを備えた同一形状とされ、前記左側ボックスが、前記中央ボックスの一方の前記側面部に前記背面部を接して配されていると共に、前記右側ボックスが、前記中央ボックスの他方の前記側面部に前記背面部を接して配され、前記左側ボックスの一方の前記側面部と、前記中央ボックスの前記背面部と、前記右側ボックスの一方の前記側面部とが、互いに面一に配されてこれら全体として略半円形状の正面板部とされ、前記正面板部の全体に、表示対象物である球体状の自然物又は人工物のうち略半球分の絵柄が表示されていることを特徴とする。
【０００７】
このファイルボックスユニットでは、左側ボックスの一方の側面部と、中央ボックスの背面部と、右側ボックスの一方の側面部とが、互いに面一に配されてこれら全体として略半円形状の正面板部とされ、正面板部の全体に、表示対象物である球体状の自然物又は人工物のうち略半球分の絵柄が表示されているので、中央ボックスと左側ボックスと右側ボックスとの３つで、一つの絵柄を構成することで、統一感のある高いデザイン性及び装飾性を得ることができる。また、中央ボックスと左側ボックスと右側ボックスとの３つが個別にファイルボックスとして機能することで、多くの書類等を収納することができる。
【０００８】
第２の考案に係るファイルボックスユニットは、第１の考案において、前記中央ボックスと前記左側ボックスと前記右側ボックスとの内面に、前記球体状の自然物又は人工物の断面の絵柄が表示されていることを特徴とする。
すなわち、このファイルボックスユニットでは、中央ボックスと左側ボックスと右側ボックスとの内面に、球体状の自然物又は人工物の断面の絵柄が表示されているので、球体状の自然物又は人工物の表面だけでなく、その断面の絵柄が内側に表示されていることで、内部構造も含んだリアルな描写を得ることができる。
【０００９】
第３の考案に係るファイルボックスユニットは、第１又は第２の考案において、前記球体状の自然物又は人工物が、地球であることを特徴とする。
すなわち、このファイルボックスユニットでは、球体状の自然物又は人工物が、地球であるので、衛星写真等を元にした地球表面のうち略半球分の絵柄により、インテリアとしても優れたデザイン性を得ることができる。
【００１０】
第４の考案に係るファイルボックスユニットは、第１又は第２の考案において、前記球体状の自然物又は人工物が、月であることを特徴とする。
すなわち、このファイルボックスユニットでは、球体状の自然物又は人工物が、月であるので、望遠鏡写真等を元にした月表面のうち略半球分の絵柄により、インテリアとしても優れたデザイン性を得ることができる。
【００１１】
第５の考案に係るファイルボックスユニットは、第１又は第２の考案において、前記球体状の自然物又は人工物が、果物であることを特徴とする。
すなわち、このファイルボックスユニットでは、球体状の自然物又は人工物が、果物であるので、写真等を元にしたスイカやオレンジ等の球体状の果物のうち略半球分の絵柄により、インテリアとしても優れたデザイン性を得ることができる。
【考案の効果】
【００１２】
本考案によれば、以下の効果を奏する。
すなわち、本考案に係るファイルボックスユニットによれば、左側ボックスの一方の側面部と、中央ボックスの背面部と、右側ボックスの一方の側面部とが、互いに面一に配されてこれら全体として略半円形状の正面板部とされ、正面板部の全体に、表示対象物である球体状の自然物又は人工物のうち略半球分の絵柄が表示されているので、中央ボックスと左側ボックスと右側ボックスとの３つで、一つの絵柄を構成することで、統一感のある高いデザイン性を得ることができる。
したがって、本考案のファイルボックスユニットでは、全体としてインテリアとしても優れたデザイン性を備えると共に、３つのファイルボックスによって多くの書類等も収納可能である。
【図面の簡単な説明】
【００１３】
【図１】本考案に係るファイルボックスユニットの第１実施形態を示す斜視図である。
【図２】第１実施形態において、ファイルボックスユニットを示す中央ボックスの前面部側から視た斜視図である。
【図３】第１実施形態において、右側ボックスを示す前面部側から視た斜視図である。
【図４】第１実施形態において、絵柄を除いた中央ボックス，右側ボックス又は左側ボックスを示す前面部側から視た斜視図である。
【図５】第１実施形態において、絵柄を除いたファイルボックスユニットを示す正面図（ａ），左側面図（ｂ）及び上面図（ｃ）である。
【図６】第１実施形態において、絵柄を除いた薄板を示す平面図である。
【図７】本考案に係るファイルボックスユニットの第２実施形態を示す斜視図である。
【図８】第２実施形態において、右側ボックスを示す前面部側から視た斜視図である。
【図９】本考案に係るファイルボックスユニットの第３実施形態を示す斜視図である。
【図１０】第３実施形態において、右側ボックスを示す前面部側から視た斜視図である。
【図１１】本考案に係るファイルボックスユニットの第４実施形態を示す斜視図である。
【図１２】第４実施形態において、右側ボックスを示す前面部側から視た斜視である。
【考案を実施するための形態】
【００１４】
以下、本考案に係るファイルボックスの第１実施形態を、図１から図６を参照しながら説明する。
【００１５】
本実施形態のファイルボックス１は、図１から図５に示すように、中央ボックス２Ａと、中央ボックス２Ａの左右に配された左側ボックス２Ｂ及び右側ボックス２Ｃとを備えている。
上記中央ボックス２Ａと左側ボックス２Ｂと右側ボックス２Ｃとは、長方形状の底面部３ａと、底面部３ａの一端部から立設した前面部３ｂと、底面部３ａの他端部から立設し前面部３ｂよりも長い略長方形状の背面部３ｃと、底面部３ａの両側部から立設し前面部３ｂから背面部３ｃにわたって扇状に形成された一対の側面部３ｄとを備えた同一形状とされている。
すなわち、中央ボックス２Ａと左側ボックス２Ｂと右側ボックス２Ｃとは、前面部３ｂと背面部３ｃと一対の側面部３ｄとで囲まれた上部に開口部が形成されたファイルボックスである。
【００１６】
上記左側ボックス２Ｂは、中央ボックス２Ａの一方の側面部３ｄに背面部３ｃを接して配されていると共に、右側ボックス２Ｃが、中央ボックス２Ａの他方の側面部３ｄに背面部３ｃを接して配されている。
上記左側ボックス２Ｂの一方の側面部３ｄと、中央ボックス２Ａの背面部３ｃと、右側ボックス２Ｃの一方の側面部３ｄとが、互いに面一に配されてこれら全体として略半円形状の正面板部４とされている。
【００１７】
上記正面板部４の全体には、表示対象物である球体状の自然物又は人工物のうち略半球分の絵柄が表示されている。
すなわち、左側ボックス２Ｂの一方の側面部３ｄと、中央ボックス２Ａの背面部３ｃと、右側ボックス２Ｃの一方の側面部３ｄとに、球体状の自然物又は人工物のうち略半球分の絵柄が分割かつ連続して描かれている。
また、中央ボックス２Ａと左側ボックス２Ｂと右側ボックス２Ｃとの内面には、球体状の自然物又は人工物の断面の絵柄が表示されている。
【００１８】
なお、本実施形態では、球体状の自然物又は人工物が、地球である。
すなわち、衛星写真等の画像を元にした地球表面のうち略半球分の絵柄が、正面板部４全体に印刷等で表示されている。
また、地球内部の断面構造が、中央ボックス２Ａと左側ボックス２Ｂと右側ボックス２Ｃとの内面、すなわち側面部３ｄ，前面部３ｂ及び背面部３ｃの内面に印刷等で表示されている。
【００１９】
すなわち、地球内部の断面構造としてマントルや中心核等の球状の層の一部が、中央ボックス２Ａと左側ボックス２Ｂと右側ボックス２Ｃとの内面に模式的に描かれている。
なお、左側ボックス２Ｂと右側ボックス２Ｃとの前面部３ｂには、球体状の自然物又は人工物（本実施形態では地球）のうち表面の一部が表示されている。
また、本実施形態及び後述する実施形態における球体状の自然物又は人工物の絵柄及び断面は、図中、グレースケールで図示しているが、実際はカラーで表示されている。
【００２０】
中央ボックス２Ａと左側ボックス２Ｂと右側ボックス２Ｃとは、図６に示すように、１枚の段ボール，厚紙又はプラスティック薄板等の薄板１０を折り曲げて箱状に組み立てられる。
上記薄板１０には、折り曲げ用線６ａ〜６ｈが表示（印刷）され、折り曲げ用線６ａ〜６ｈの部分に折り目が形成されている。
なお、図中、折り曲げ用線６ａ〜６ｈ及び上記折り目は、二点鎖線で示している。
【００２１】
本実施形態の中央ボックス２Ａと左側ボックス２Ｂと右側ボックス２Ｃとを組み立てるには、図６に示す薄板１０の折り曲げ用線６ａ〜６ｈに基づいて折り曲げることで、図２に示す形状とする。
すなわち、折り曲げ用線６ａ〜６ｅを谷折りすることで、底面部３ａの外縁上に前面部３ｂ，背面部３ｃ及び一対の側面部３ｄが立設した状態とする。
また、のりしろ部５ｄを前面部３ｂの内面に接着剤等で接着すると共に、のりしろ部５ｃを底面部３ａの内面に接着剤等で接着して箱形状を固定することで、中央ボックス２Ａと左側ボックス２Ｂと右側ボックス２Ｃとを作製する。
【００２２】
このように第１実施形態のファイルボックスユニット１では、左側ボックス２Ｂの一方の側面部３ｄと、中央ボックス２Ａの背面部３ｃと、右側ボックス２Ｃの一方の側面部３ｄとが、互いに面一に配されてこれら全体として略半円形状の正面板部４とされ、正面板部４の全体に、表示対象物である球体状の自然物又は人工物のうち略半球分の絵柄が表示されているので、中央ボックス２Ａと左側ボックス２Ｂと右側ボックス２Ｃとの３つで、一つの絵柄を構成することで、統一感のある高いデザイン性及び装飾性を得ることができる。
また、中央ボックス２Ａと左側ボックス２Ｂと右側ボックス２Ｃとの３つが個別にファイルボックスとして機能することで、多くの書類等を収納することができる。
【００２３】
さらに、中央ボックス２Ａと左側ボックス２Ｂと右側ボックス２Ｃとの内面に、球体状の自然物又は人工物の断面の絵柄が表示されているので、球体状の自然物又は人工物の表面だけでなく、その断面の絵柄が内側に表示されていることで、内部構造も含んだリアルな描写を得ることができる。
本実施形態では、球体状の自然物又は人工物が、地球であるので、衛星写真等を元にした地球表面のうち略半球分の絵柄により、インテリアとしても優れたデザイン性を得ることができる。
【００２４】
次に、本考案に係るファイルボックスユニットの第２から第４実施形態について、図７から図１１を参照して以下に説明する。なお、以下の各実施形態の説明において、上記実施形態において説明した同一の構成要素には同一の符号を付し、その説明は省略する。
【００２５】
第２実施形態と第１実施形態との異なる点は、第１実施形態では、球体状の自然物又は人工物が、地球であるのに対し、第２実施形態のファイルボックスユニット２１では、図７及び図８に示すように、球体状の自然物又は人工物が、月である点である。
すなわち、第２実施形態では、衛星写真等の画像を元にした月表面のうち略半球分の絵柄が、正面板部２４全体に印刷等で表示されている。
【００２６】
また、月内部の断面構造が、中央ボックス２２Ａと左側ボックス２２Ｂと右側ボックス２２Ｃとの内面、すなわち側面部３ｄ，前面部３ｂ及び背面部３ｃの内面に印刷等で表示されている。
すなわち、月内部の断面構造としてマントルや中心核等の球状の層の一部が、中央ボックス２２Ａと左側ボックス２２Ｂと右側ボックス２２Ｃとの内面に模式的に描かれている。
【００２７】
次に、第３実施形態と第１実施形態との異なる点は、第１実施形態では、球体状の自然物又は人工物が、地球であるのに対し、第３実施形態のファイルボックスユニット３１では、図９及び図１０に示すように、球体状の自然物又は人工物が、果物のスイカである点である。
すなわち、第３実施形態では、写真等の画像を元にしたスイカ表面のうち略半球分の絵柄が、正面板部３４全体に印刷等で表示されている。
【００２８】
また、スイカ内部の断面構造が、中央ボックス３２Ａと左側ボックス３２Ｂと右側ボックス３２Ｃとの内面、すなわち側面部３ｄ，前面部３ｂ及び背面部３ｃの内面に印刷等で表示されている。なお、上記スイカ内部の断面の絵柄では、スイカの種について大きくデフォルメして表示している。
【００２９】
次に、第４実施形態と第３実施形態との異なる点は、第３実施形態では、球体状の自然物又は人工物が、果物のスイカであるのに対し、第４実施形態のファイルボックスユニット４１では、図１１及び図１２に示すように、球体状の自然物又は人工物が、果物のオレンジである点である。
すなわち、第４実施形態では、写真等の画像を元にしたオレンジ表面のうち略半球分の絵柄が、正面板部４４全体に印刷等で表示されている。
【００３０】
また、オレンジ内部の断面構造が、中央ボックス４２Ａと左側ボックス４２Ｂと右側ボックス４２Ｃとの内面、すなわち側面部３ｄ，前面部３ｂ及び背面部３ｃの内面に印刷等で表示されている。
【００３１】
なお、本考案の技術範囲は上記各実施形態に限定されるものではなく、本考案の趣旨を逸脱しない範囲において種々の変更を加えることが可能である。
【００３２】
例えば、上記各実施形態では、球体状の自然物又は人工物の絵柄として、地球，月，果物（スイカ，オレンジ）を正面板部全体に表示しているが、他の球体状の自然物又は人工物の絵柄を表示しても構わない。例えば、球体状の人工物として、サッカーボール，バレーボール，テニスボール，ゴルフボール等のうち略半球分の絵柄を正面板部全体に表示してもよい。
【００３３】
また、上記各実施形態では、中央ボックスと左側ボックスと右側ボックスとが互いに接触している状態で設置されているだけであるのに対し、中央ボックスと左側ボックスと右側ボックスとを、互いに接している面同士を接着剤やテープ等で固定，連結しても構わない。
なお、中央ボックスと左側ボックスと右側ボックスとを互いに分離可能に接している状態にしておくことで、個別に離して使用することも可能になる。例えば、中央ボックスと左側ボックスと右側ボックスとの互いに接している面に、それぞれ面ファスナーを貼り付けて、中央ボックスと左側ボックスと右側ボックスとを、互いに容易に連結及び分離可能にしても構わない。
【符号の説明】
【００３４】
１，２１，３１，４１…ファイルボックスユニット、２Ａ，２２Ａ，３２Ａ，４２Ａ…中央ボックス、２Ｂ，２２Ｂ，３２Ｂ，４２Ｂ…左側ボックス、２Ｃ．２２Ｃ，３２Ｃ，４２Ｃ…右側ボックス、３ａ…底面部、３ｂ…前面部、３ｃ…背面部、３ｄ…側面部、４，２４，３４，４４…正面板部
【図１】
0003228257.tif 000003
【図２】
0003228257.tif 000004
【図３】
0003228257.tif 000005
【図４】
0003228257.tif 000006
【図５】
0003228257.tif 000007
【図６】
0003228257.tif 000008
【図７】
0003228257.tif 000009
【図８】
0003228257.tif 000010
【図９】
0003228257.tif 000011
【図１０】
0003228257.tif 000012
【図１１】
0003228257.tif 000013
【図１２】
0003228257.tif 000014